(57)【特許請求の範囲】
【請求項１】
縦方向および横方向を有し、腹側域と、背側域と、前記腹側域と前記背側域との間において前記縦方向へ延びる中間域と、前記中間域から前記腹側域へ延びる吸収性コアとを含む愛玩動物用の吸収性物品において、
前記腹側域および前記背側域は、前記縦方向へ延びる両側縁と、前記横方向へ延びる内端縁および外端縁とを有するとともに、前記外端縁を含む外端域と、前記内端縁を含む内端域と、前記内端域と前記外端域との間に位置する中央域とを有し、前記腹側域の前記両側縁と前記背側域の前記両側縁とを係脱可能に連結する連結手段を備え、
前記連結手段は、前記腹側域の前記両側縁から前記横方向の外側へ延出する一対のファスニングタブと、前記背側域の前記非身体対向面側に位置して前記ファスニングタブと係合する受止部とを有し、
前記連結手段によって前記腹側域の前記両側縁と前記背側域の前記両側縁とを連結したとき、ウエスト開口と、一対のレッグ開口とが形成され、
前記中間域には前記愛玩動物の尻尾を挿通可能な開口が位置し、前記吸収性コアは、前記開口よりも前記腹側域に位置し、
前記腹側域の前記内端域は、前記横方向へ伸縮可能な伸縮域を有し、
前記腹側域は、前記レッグ開口側に位置して前記伸縮域である第１伸縮域と、前記ウエスト開口側に位置する第２伸縮域と、前記第１伸縮域と前記第２伸縮域との間に位置する第３伸縮域とを有し、
前記第１伸縮域の伸縮応力が前記第２伸縮域の伸縮応力より大きく、前記第２伸縮域の伸縮応力が前記第３伸縮域の伸縮応力より大きく、
前記ファスニングタブの固定部は、前記第３伸縮域の前記横方向の外側に位置する非伸縮性の領域に配置してあることを特徴とする吸収性物品。
【請求項２】
前記腹側域を形成する矩形の腹側パネルと、前記背側域を形成する矩形の背側パネルと、前記腹側パネルと前記背側パネルとに連結して前記縦方向へ延びる、前記吸収性コアが位置する矩形の吸収性パネルとをさらに有し、
前記腹側域の前記内端縁は前記横方向へ直状に延び、前記中間域の両側縁は前記縦方向へ直状に延び、前記腹側域の前記内端縁と前記中間域の前記両側縁とが直交する請求項１に記載の吸収性物品。
【請求項３】
前記吸収性物品は、前記愛玩動物の身体と対向する身体対向面とその反対側に位置する非身体対向面とを有し、
前記腹側域は、前記身体対向面に位置する内面シートと、前記非身体対向面に位置する外面シートと、前記内面シートと前記外面シートとの間に位置し、前記横方向へ延びる糸状または紐状の弾性部材とを有し、
前記第１伸縮域は、前記内端縁側に位置する前記弾性部材によって画成され、
前記第２伸縮域は、前記外端縁側に位置する前記弾性部材によって画成される請求項１または２に記載の吸収性物品。
【請求項４】
前記第１伸縮域は、前記横方向へ離隔する一対の伸縮域によって画成され、
前記一対の伸縮域の間には、平面視において、前記吸収性コアと重なる部分に、非伸縮域を配置してある請求項１〜３のいずれかに記載の吸収性物品。
【請求項５】
前記一対のファスニングタブは、前記内端縁よりも前記外端縁に偏倚して配置してある請求項１〜４のいずれかに記載の吸収性物品。
【請求項６】
前記ファスニングタブは、前記固定部と、前記固定部から前記横方向へ延び、前記腹側域に固定されていない自由部とを有し、
前記腹側域は、前記第１伸縮域の前記横方向の両側に、第２非伸縮域を有し、
前記固定部は、前記第２非伸縮域に配置してある請求項１〜５のいずれかに記載の吸収性物品。
【請求項７】
前記背側域は、前記横方向へ伸縮可能な伸縮域を有する請求項１〜６のいずれかに記載の吸収性物品。
【発明の詳細な説明】
【技術分野】
【０００１】
本発明は、犬や猫等の愛玩動物（ペット）の排泄物を吸収するための吸収性物品に関する。
【背景技術】
【０００２】
従来、犬や猫等の愛玩動物の身体に着用させるための吸収性物品は公知である。例えば、特許文献１には、腹側域と、背側域と、背側域と腹側域との間に位置する中間域と、透液性を有する内層シートと、不透液性を有する外層シートと、内外層シート間に介在された吸収性コアとを有し、愛玩動物の胴回りに巻き付けるように着用させる愛玩動物用の吸収性物品（いわゆる開放型）が開示されている。
【先行技術文献】
【特許文献】
【０００３】
【特許文献１】特開２０１３−９６５７号公報（Ｐ２０１３−９６５７Ａ）
【発明の概要】
【発明が解決しようとする課題】
【０００４】
犬等の愛玩動物は、腹側のくびれが小さいため、着用後、愛玩動物の歩行等の動作によって吸収性物品の位置がずれるおそれがある。仮に、愛玩動物の性器を覆う位置から吸収性物品の位置がずれたときには、尿等の体液が吸収性物品から漏れる。
【０００５】
また、犬等の愛玩動物は、歩行のとき、前肢および後肢を前後方向にのみ動かすが、後肢の付け根の内側近傍に吸収性物品が位置するため、歩行の際に後肢を動かすと、後肢の付け根が吸収性物品に当たり、歩行の妨げとなって愛玩動物の活動量が低下するおそれがあった。
【０００６】
本発明は、従来の愛玩動物用の吸収性物品の改良であって、愛玩動物に対して吸収性物品の位置がずれることを抑えることができるフィット性を有するとともに、愛玩動物の歩行の妨げとならない吸収性物品の提供を課題にしている。
【課題を解決するための手段】
【０００７】
前記課題を解決するために、本発明は、縦方向および横方向を有し、腹側域と、背側域と、前記腹側域と前記背側域との間において前記縦方向へ延びる中間域と、前記中間域から前記腹側域へ延びる吸収性コアとを含む愛玩動物用の吸収性物品に関する。
【０００８】
本発明に係る愛玩動物用の吸収性物品の前記腹側域および前記背側域は、前記縦方向へ延びる両側縁と、前記横方向へ延びる内端縁および外端縁とを有するとともに、前記外端縁を含む外端域と、前記内端縁を含む内端域と、前記内端域と前記外端域との間に位置する中央域とを有し、前記腹側域の前記両側縁と前記背側域の前記両側縁とを係脱可能に連結する連結手段を備え、前記連結手段は、前記腹側域の前記両側縁から前記横方向の外側へ延出する一対のファスニングタブと、前記背側域の前記非身体対向面側に位置して前記ファスニングタブと係合する受止部とを有し、前記連結手段によって前記腹側域の前記両側縁と前記背側域の前記両側縁とを連結したとき、ウエスト開口と、一対のレッグ開口とが形成され、前記中間域には前記愛玩動物の尻尾を挿通可能な開口が位置し、前記吸収性コアは、前記開口よりも前記腹側域に位置し、前記腹側域の前記内端域は、前記横方向へ伸縮可能な伸縮域を有し、前記腹側域は、前記レッグ開口側に位置して前記伸縮域である第１伸縮域と、前記ウエスト開口側に位置する第２伸縮域と、前記第１伸縮域と前記第２伸縮域との間に位置する第３伸縮域とを有し、前記第１伸縮域の伸縮応力が前記第２伸縮域の伸縮応力より大きく、前記第２伸縮域の伸縮応力が前記第３伸縮域の伸縮応力より大きく、前記ファスニングタブの固定部は、前記第３伸縮域の前記横方向の外側に位置する非伸縮性の領域に配置してある。
【０００９】
吸収性物品は、前記腹側域を形成する矩形の腹側パネルと、前記背側域を形成する矩形の背側パネルと、前記腹側パネルと前記背側パネルとに連結して前記縦方向へ延びる、前記吸収性コアが位置する矩形の吸収性パネルとをさらに有し、前記腹側域の前記内端縁は前記横方向へ直状に延び、前記中間域の両側縁は前記縦方向へ直状に延び、前記腹側域の前記内端縁と前記中間域の前記両側縁とが直交する。このため、愛玩動物の後肢の付け根の外側に腹側パネル及び吸収性パネルが位置していないので、後肢が前後に移動したときに吸収性物品の一部が当接してその歩行を妨げるおそれはない。
【００１０】
前記吸収性物品は、前記愛玩動物の身体と対向する身体対向面とその反対側に位置する非身体対向面とを有し、前記腹側域は、前記身体対向面に位置する内面シートと、前記非身体対向面に位置する外面シートと、前記内面シートと前記外面シートとの間に位置し、前記横方向へ延びる糸状または紐状の弾性部材とを有し、前記伸縮域は、前記内端縁側に位置する前記弾性部材によって画成される第１伸縮域であり、前記腹側域の前記外端域は、前記外端縁側に位置する前記弾性部材によって画成される第２伸縮域を有し、前記第１伸縮域の伸縮応力が、前記第２伸縮域の伸縮応力より大きい。愛玩動物は、胴体に大きなくびれを有していないが、第２伸縮域の伸縮応力によって吸収性物品の位置がずれるのを確実に防止することができる。しかも、第１伸縮域の伸縮応力が、第２伸縮域の伸縮応力より大きいため、愛玩動物の歩行のときに後肢を前後に動かしても第１伸縮域の伸縮応力によって内端域を愛玩動物の身体に対して安定的に押し当てることができる。加えて、内端域が伸縮性を有するため、歩行の際、仮に後肢が内端域に当たったとしても、内端域が後肢の動きに合わせて変形し、愛玩動物の違和感を低減することができる。
【００１１】
前記連結手段によって前記腹側域の前記両側縁と前記背側域の前記両側縁とを連結したとき、ウエスト開口と、一対のレッグ開口とが形成され、前記腹側域は、前記レッグ開口側に前記第１伸縮域を有し、前記ウエスト開口側に前記第２伸縮域を有し、前記第１伸縮域は、前記横方向へ離隔する一対の伸縮域によって画成され、前記一対の伸縮域の間には、平面視において、前記吸収性コアと重なる部分に、非伸縮域を配置してあり、前記中央域は、前記第１伸縮域と前記第２伸縮域に隣接し、前記横方向へ伸縮可能な第３伸縮域を配置してある。よって、吸収性コアと重なる部分には非伸縮域を配置してあるため、吸収性コアが第１伸縮域の伸縮力によって縮まり、体液の吸収が阻害されることを抑えることができる。
【００１２】
前記連結手段は、前記腹側域の前記両側縁から前記横方向の外側へ延出する一対のファスニングタブと、前記背側域の前記非身体対向面側に位置して前記ファスニングタブと係合する受止部とを有し、前記一対のファスニングタブは、前記内端縁よりも前記外端縁に偏倚して配置してある。このため、愛玩動物の後肢の付け根が、ファスニングタブによって過度に締め付けられるのを防止することができる。加えて、内端域が後肢の付け根の周囲を過度に締め付けることを防止することができるため、歩行の際、仮に後肢が内端域に当たったとしても、内端域が後肢の動きに合わせて変形し、愛玩動物の違和感を低減することができる。
【００１３】
前記ファスニングタブは、前記腹側域に固定された固定部と、前記固定部から前記横方向へ延び、前記腹側域に固定されていない自由部とを有し、前記腹側域は、前記第１伸縮域の前記横方向の両側に、第２非伸縮域を有し、前記固定部は、前記第２非伸縮域に配置してある。このため、固定部と腹側域との固定を確実にすることができる。
【００１４】
前記背側域は、前記横方向へ伸縮可能な伸縮域を有する。このため、背側域においても愛玩動物の身体に吸収性物品を押し当てることができるため、吸収性物品を愛玩動物の身体に押し当てる面積を広くし、愛玩動物の身体に対して吸収性物品の位置がずれるのを確実に防止することができる。
【発明の効果】
【００１５】
本発明の１つ以上の実施の形態に係る愛玩動物用の吸収性物品によれば、腹側域の内端域は、横方向へ伸縮可能な伸縮域を有するため、腹側域を愛玩動物の身体に押し当てるフィット性を吸収性物品が有する。このため、愛玩動物に対して吸収性物品の位置がずれることを抑えることができる。しかも、腹側域の内端域は、横方向へ伸縮可能な伸縮域を有するため、腹側域の内端域が愛玩動物の身体から離れるのを抑え、これにより、腹側域の内端域を愛玩動物の身体に押し当てることができ、愛玩動物の歩行の妨げになることを抑えることができる。
【図面の簡単な説明】
【００１６】
図面は、本発明の特定の実施の形態を示し、発明の不可欠な構成ばかりでなく、選択的及び好ましい実施の形態を含む。
【図１】本発明の第１実施形態に係る愛玩動物用の吸収性物品の斜視図。
【図２】各弾性部材の最大伸長時（弾性材料の収縮作用によるギャザーがなくなる程度）まで縦方向及び横方向に伸展した吸収性物品の一部破断展開平面図。
【図３】図２のＩＩＩ−ＩＩＩ線に沿う断面図。
【図４】図２の腹側域の部分拡大図。
【図５】吸収性物品を着用した愛玩動物を側面側から視た図。
【図６】本発明の第２実施形態に係る愛玩動物用の吸収性物品の斜視図。
【発明を実施するための形態】
【００１７】
下記の各実施の形態は、図１〜図６に示す愛玩動物用の吸収性物品に関し、発明の不可欠な構成ばかりではなく、選択的及び好ましい構成を含む。
【００１８】
＜第１実施形態＞
図１〜図５を参照すると、愛玩動物（ペット）５用の吸収性物品１０は、互いに交差する縦方向Ｙ及び横方向Ｘと、横方向Ｘの寸法を２等分する縦軸Ｐと、縦方向Ｙの寸法を２等分する横軸Ｑと、愛玩動物５の身体と対向する身体対向面とその反対側に位置する非身体対向面とを有する。
【００１９】
吸収性物品１０は、さらに、環状のウエストパネル１１と、ウエストパネル１１の身体対向面に取り付けられた吸収性パネル１２と、腹側域１３と、背側域１４と、腹側域１３と背側域１４との間を縦方向Ｙに延びる中間域１５とを含む。ウエストパネル１１は、腹側域１３を形成する腹側パネル１６と、背側域１４を形成する背側パネル１７とから構成される。
【００２０】
腹側パネル１６と背側パネル１７とは、それぞれ、吸収性パネル１２と交差し、横方向Ｘへ延びる内端縁１６ａ，１７ａと、縦方向Ｙにおいて内端縁１６ａ，１７ａと離隔対向して横方向Ｘへ延びる外端縁１６ｂ，１７ｂと、内外端縁１６ａ，１６ｂ，１７ａ，１７ｂの間において縦方向Ｙへ延びる両側縁１６ｃ，１６ｄ，１７ｃ，１７ｄとによって画定された横長矩形状を有する。
【００２１】
腹側パネル１６と背側パネル１７とは、それぞれ、身体対向面側に位置する内層シート２５と、非身体対向面側に位置する外層シート２７とを有する。内外層シート２５，２７は、質量１５〜３０ｇ／ｍ２の不透液性のＳＭＳ（スパンボンド・メルトブローン・スパンボンド）繊維不織布若しくはスパンボンド不織布、または、プラスチックシートやそれらのラミネートシートとから形成される。内外層シート２５，２７は、少なくともいずれか一方の内面に間隔をあけて塗布されたホットメルト接着剤又は熱溶着手段によって接合される。
【００２２】
腹側パネル１６と背側パネル１７とには、内外層シート２５，２７の間において横方向Ｘへ延びる複数条のストランド状（糸状）又はストリング状（紐状）の第１弾性部材４１が伸長状態で収縮可能に配置してある。腹側パネル１６および背側パネル１７は、第１弾性部材４１が配置されることによって、少なくとも横方向Ｘへ弾性化されている。なお、内外層シート２５，２７は、第１弾性部材４１のほぼ全周に塗布したホットメルト接着剤を介してのみ互いに接合されていてもよい。
【００２３】
腹側パネル１６は、図４に示すように、内端縁１６ａを含む内端域３３と、外端縁１６ｂを含む外端域３４と、内端域３３と外端域３４との間に位置する中央域３５とを有する。内端域３３は、腹側パネル１６の縦方向Ｌの寸法の１／２〜１／５であり、外端域３４は、腹側パネル１６の縦方向Ｌの寸法の１／２〜１／５であり、中央域３５は、腹側パネル１６の縦方向Ｌの寸法の１／２〜１／５である。以下、腹側パネル１６のみに関して説明し、背側パネル１７の説明を省略するが、背側パネル１７は、腹側パネル１６と同様に構成してある。
【００２４】
第１弾性部材４１は、内端縁１６ａ側に位置して横方向Ｘへ延びる複数条の内側弾性部材４１Ａと、外端縁１６ｂ側に位置して横方向Ｘへ延びる複数条の外側弾性部材４１Ｂと、腹側域１３および背側域１４のそれぞれの縦方向Ｙの中央に位置して横方向Ｘへ延びる複数条の中央弾性部材４１Ｃとから構成される。内側弾性部材４１Ａの伸縮力によって、内端域３３には、横方向Ｘへ伸縮可能な第１伸縮域（伸縮域）３６が形成される。換言すれば、内端縁１６ａ側に位置する内側弾性部材４１Ａによって第１伸縮域が画される。外側弾性部材４１Ｂの伸縮力によって、外端域３４には、横方向Ｘへ伸縮可能な第２伸縮域３７が形成される。換言すれば、外端縁１６ｂ側に位置する外側弾性部材４１Ｂによって第２伸縮域が画される。中央弾性部材４１Ｃの伸縮力によって、中央域３５には、横方向Ｘへ伸縮可能な第３伸縮域３８が形成される。中央域３５は、内端域３３および外端域３４のそれぞれに隣接している。
【００２５】
内側弾性部材４１Ａおよび中央弾性部材４１Ｃは、腹側パネル１６と背側パネル１７の両側縁１６ｃ，１６ｄ，１７ｃ，１７ｄから、吸収性コア６０の両側縁６０ｃ，６０ｄまで延びており、平面視において（縦方向Ｙおよび横方向Ｘに交差（直交）する厚さ方向において）吸収性コア６０と重なっていない。したがって、第１伸縮域３６および第３伸縮域３８は、横方向へ離隔する一対の伸縮域３６Ａ，３８Ａによって画成され、一対の伸縮域３６Ａ，３８Ａの間には、平面視において、吸収性コア６０と重なる部分に、非伸縮域３６Ｂ，３８Ｂを配置してある。このように、吸収性コア６０と重なる部分に非伸縮域３６Ｂ，３８Ｂを配置し、内側弾性部材４１Ａおよび中央弾性部材４１Ｃの収縮力が吸収性コア６０に直接作用しないことによって、吸収性コア６０が第１伸縮域３６および第３伸縮域３８の伸縮力によって縮まり、体液の吸収が阻害されるようなギャザーやよれが生じるのを抑制することができる。
【００２６】
内側弾性部材４１Ａと、外側弾性部材４１Ｂと、中央弾性部材４１Ｃとは、例えば繊度３００〜１２００ｄｔｅｘのストリング状（糸状）またはストランド状（紐状）の弾性材料を１．５〜４．０倍に伸長した状態で収縮可能に内外層シート２５，２７に取り付けてある。
【００２７】
内側弾性部材４１Ａと、外側弾性部材４１Ｂと、中央弾性部材４１Ｃとは、例えば、繊度が同一の弾性材料を使用し、内側弾性部材４１Ａの縦方向のピッチは、外側弾性部材４１Ｂの縦方向のピッチよりも小さいため、第１伸縮域３６の伸長応力は、第２伸縮域３７の伸長応力よりも大きく、外側弾性部材４１Ｂの縦方向のピッチは、中央弾性部材４１Ｃの縦方向のピッチよりも小さいため、第２伸縮域３７の伸長応力は、第３伸縮域３８の伸長応力よりも大きい。
【００２８】
吸収性パネル１２は、縦長の略矩形状であって、腹側パネル１６の身体対向面に取り付けられた前端部１２Ａと、背側パネル１７の身体対向面に取り付けられた後端部１２Ｂと、前後端部１２Ａ，１２Ｂの間において縦方向Ｙへ延びる中間部１２Ｃとを有する。また、吸収性パネル１２は、被覆シート５０と、被覆シート５０の身体対向面に配置された吸収性コア６０と、吸収性コア６０の身体対向面を包被する透液性シートから形成された身体側ライナー６１と、吸収性コア６０と被覆シート５０との間に位置する防漏シート６２とを有する。
【００２９】
吸収性コア６０は、前後端縁６０ａ，６０ｂと、前後端縁６０ａ，６０ｂの間において縦方向Ｙへ延びる、凹曲状の両側縁６０ｃ，６０ｄとから外形輪郭を成し、不水溶性かつ自己質量の１０倍以上の吸水力を有するいわゆる高吸収性ポリマー（ＳＡＰ）粒子、木材フラッフパルプ、オプションとして熱可塑性繊維を僅かに含む混合物から形成されている。吸収性コア６０は、親水性かつ液拡散性を有する不織布又はティッシュペーパから形成されたコアカバーシート（図示せず）によって包被される。コアカバーシートは、身体側ライナー６１及び／又は防漏シート６２とホットメルト接着剤を介して接合される。
【００３０】
被覆シート５０は、吸収性コア６０が配置された中央部５１と、中央部５１の両側に位置する両側部５２とを有する。両側部５２は、それぞれ、横方向Ｘの内側に折り曲げられており、中央部５１に固定された両端固定部と、両端固定部間において縦方向Ｙへ延び、かつ、中央部５１及び防漏シート６２に固定された固定側部（近位部）５５と、固定側部５５の横方向Ｘの内側（又は外側）に位置する自由部（遠位部）５６とを有する。自由部５６は、被覆シート５０の側縁部を折り曲げて形成されたスリーブ状の自由縁部５６ａを有し、自由縁部５６ａの内部にはカフ弾性体５８が伸長状態で収縮可能に取り付けられる。吸収性物品１０の着用状態において、カフ弾性体５８が収縮して自由部５６が身体側ライナー６１から起立し、排泄物の横漏れを抑制しうる防漏カフスが形成される。
【００３１】
図２及び３を参照すると、吸収性コア６０の両側縁６０ｃ，６０ｄの横方向Ｘの外側に位置する両側部５２の一部であって被覆シート５０の固定側部５５には、縦方向Ｙへ延びる第２弾性部材４２が伸長状態で収縮可能に取り付けられている。このように、第２弾性部材４２が両側部５２に取り付けられていることによって、両側部５２には第２弾性部材４２の収縮力が作用する縦方向Ｙへ伸縮可能なサイド弾性域が形成される。両側部５２にサイド弾性域が位置することによって、後肢７の大腿部にフィットされるので、後肢７の動きによって両側部５２が位置ずれして排泄物が横漏れをするのを抑制することができる。
【００３２】
図１及び図２を参照すると、腹側域１３の両側縁部の非身体対向面には、ファスニングタブ７０の固定部７１が取り付けられている。ファスニングタブ７０は、固定部７１と、腹側域１３の両側縁１６ｃ，１６ｄから横方向Ｘの外側へ延出する自由部７２とを有し、自由部７２の身体対向面側には、掛け止め域７３が位置する。掛け止め域７３は、背側域１４の非身体対向面に係脱可能に止着しうるメカニカルファスナのフック群等からなるファスニング要素とファスニング要素をファスニングタブ７０のテープ基材に固定するためのフックシートとから構成されている。
【００３３】
腹側域１３において、ファスニングタブの固定部７１を取り付ける箇所の中央弾性部材４１Ｃは、伸縮力を喪失した状態にあって該箇所（第２非伸縮域３８Ｃ）が収縮することがない。換言すれば、第３伸縮域３８の横方向Ｘの外側には、第２非伸縮域３８Ｃを配置してあり、ファスニングタブ７０の固定部７１は、第２非伸縮域３８Ｃに配置してある。このため、固定部７１と腹側域１３との固定を確実にすることができる。
【００３４】
また、一対のファスニングタブ７０は、中央弾性部材４１Ｃを配置してある第３伸縮域３８の横方向の外側に配置してあるため、中央弾性部材４１Ｃの収縮力によりファスニングタブ７０が引っ張られるため、ファスニングタブ７０の掛け止め域７３が受け止め域７８に食い込むため、連結手段７９が容易に外れることがない。
【００３５】
掛け止め域７３のファスニング要素は、背側域１４の非身体対向面を形成する繊維不織布製の外層シート２７に掛け止めることができるものである。換言すれば、掛け止め域７３のファスニング要素と、背側域１４の非身体対向面である受け止め域（受止部）７８とによって、腹側域１３の両側縁１６ｃ，１６ｄと背側域１４の両側縁１７ｃ，１７ｄとを係脱可能に連結する連結手段７９が構成される。なお、掛け止め域７３のファスニング要素を、安定的に掛け止めするために、その外面にメカニカルファスナのループ要素を有するランディングシートを配置してもよい。また、外層シート２７が複数のシート層から形成されて、最外層のシートがプラスチックフィルムからなる場合には、掛け止め域７３のファスニング要素としてフックシートに替わって粘着剤を用いることが好ましい。ファスニングタブ７０の固定部７１は、背側域１４の非身体対向面に固定するほかに、内外層シート２５，２７の間に固定してもよいし、背側域１４の身体対向面に固定してもよい。掛け止め域７３から横方向Ｘの外側へ延びる、ファスニングタブ７０の摘持部は、摘持が容易であって、摘持したときに指先が掛け止め域７３に当接しない程度の大きさを有することが好ましい。また、ファスニングタブ７０は、単数ではなく複数配置されていてもよい。また、ファスニングタブ７０は、弾性伸縮可能であってもよいし、展開可能に複数に折曲された状態で、腹側域１３の側縁部に固定されていてもよいし、自由部７２が複数に分割可能であって複数の掛け止め域７３を有していてもよい。
【００３６】
一対のファスニングタブ７０は、内端縁１６ａよりも外端縁１６ｂに近接するように偏倚して配置してある。このため、愛玩動物５の後肢７の付け根が、ファスニングタブ７０によって過度に締め付けられるのを防止することができる。加えて、内端域３３が後肢７の付け根の周囲を過度に締め付けることを防止することができるため、歩行の際、仮に後肢７が内端域３３に当たったとしても、内端域３３が後肢７の動きに合わせて変形し、愛玩動物５の違和感を低減することができる。
【００３７】
図２を参照すると、中間域１５において、吸収性物品１０の愛玩動物５の尻尾６と対向する部分には、愛玩動物５の尻尾６を挿通する開口（尻尾開口）を形成するための略Ｕ字状の切断ライン８０（ミシン目）を配置してある。切断ライン８０は、防漏カフスを形成する自由縁部５６ａの間に位置し、吸収性物品１０の平面視において互いに重なる身体側ライナー６１、防漏シート６２及び被覆シート５０を貫通している。愛玩動物５に対する吸収性物品１０の着用の際、切断ライン８０によって形成された開口に尻尾６を挿通させた状態において、ファスニングタブ７０の掛け止め域７３と、背側域１４の受け止め域７８とを係止すれば、腹側域１３と背側域１４との連結を容易にすることができる。また、吸収性コア６０は、尻尾６を挿通する開口となる切断ライン８０よりも腹側域１３側に位置している。具体的には、吸収性コア６０の後端縁６０ｂは開口を形成する切断ライン８０から離隔しており、切断ライン８０の周辺には、吸収性コア６０の不存在域が形成されている。
【００３８】
図３および図５を参照すると、腹側域１３の両側縁１６ｃ，１６ｄの外側に位置するファスニングタブ７０の掛け止め域７３が、背側域１４の非身体対向面に係止されることによって、腹側域１３の両側縁１６ｃ，１６ｄと背側域１４の両側縁１７ｃ，１７ｄとが連結されて図１に示すようにウエスト開口２１と、一対のレッグ開口２２とが形成され、愛玩動物５に吸収性物品１０が着用される。この吸収性物品１０は、腹側域１３の両側縁１６ｃ，１６ｄと背側域１４の両側縁１７ｃ，１７ｄとを係脱可能に連結する連結手段７９を有するため、胴回りの大きさが異なる愛玩動物５（比較的に細身の愛玩動物５から比較的に肥満の愛玩動物５）に吸収性物品１０を着用させることができる。また、腹側域１３の内端域３３は、横方向Ｘへ伸縮可能な第１伸縮域３６を有するため、腹側域１３の内端域３３を愛玩動物５の身体に押し当てるフィット性を吸収性物品１０が有する。このため、愛玩動物５に対して吸収性物品１０の位置がずれることを防止することができる。しかも、第１伸縮域３６の伸縮応力が、第２伸縮域３７の伸縮応力よりも大きいため、愛玩動物５の歩行のときに後肢７を前後に動かしても第１伸縮域３６の伸縮応力によって内端域３３を愛玩動物５の身体に対して安定的に押し当てることができる。加えて、内端域３３が伸縮性を有するため、歩行の際、仮に後肢７が内端域３３に当たったとしても、内端域３３が後肢７の動きに合わせて変形し、愛玩動物５の違和感を低減することができる。また、愛玩動物５は、胴体に大きなくびれを有していないが、第２伸縮域３７の伸長応力によって吸収性物品１０の位置がずれるのを確実に防止することができる。第２伸縮域３７の伸縮応力が、第３伸縮域３８の伸縮応力よりも大きいため、ウエスト開口２１側から、尿等の体液が漏れるのを防止することができる。
【００３９】
加えて、背側域１４は、横方向Ｘへ伸縮可能な伸縮域３６，３７，３８を有するため、背側域１４においても愛玩動物５の身体に吸収性物品１０を押し当てることができる。このため、吸収性物品１０を愛玩動物５の身体に押し当てる面積を広くし、愛玩動物５の身体に対して吸収性物品１０の位置がずれるのを確実に防止することができる。
【００４０】
再び、図２を参照すると、吸収性物品１０は、矩形の腹側パネル１６と、矩形の背側パネル１７と、矩形の吸収性パネル１２とから構成されており、腹側域１３の内端縁１６ａは横方向Ｘへ直状に延び、中間域１５の両側縁（吸収性パネル１２の両側縁）は縦方向Ｙへ直状に延びており、それらが互いに直交している。内端縁１６ａ及び又は吸収性パネル１２の両側縁が曲状をなして連なっている場合には、歩行時に前後に移動する後肢７の付け根が該曲状を有する部分に当接して歩行の妨げとなるおそれがあるが、本実施形態に係る吸収性物品１０のように、腹側パネル１６および背側パネル１７と、吸収性パネル１２とが直交するときには、後肢７の付け根の外側に腹側パネル１６及び吸収性パネル１２が位置していないので、後肢７が前後に移動したときに吸収性物品１０の一部が当接してその歩行を妨げるおそれはない。しかも、３つのパネルによって吸収性物品を製造することができるため、吸収性物品１０の製造を容易にすることができる。
【００４１】
＜第２実施形態＞
図６は、第２実施形態に係る愛玩動物５用の吸収性物品１０の図１と同様の正面図である。本実施形態に係る吸収性物品１０は、第１実施形態に係る吸収性物品１０と基本的構造が同じであって、相違する点についてのみ以下に説明する。
【００４２】
本実施形態に係る吸収性物品１０では、腹側域１３の両側縁部１６ｃ，１６ｄの身体対向面には、内端域３３から外端域３４まで縦方向Ｙへ延びるように、ファスニングタブ７０の掛け止め域７３を配置してある。この吸収性物品１０によれば、縦方向Ｙに延びる掛け止め域７３の一部と、受け止め域７８の一部とを係止すれば、腹側域１３の両側縁１６ｃ，１６ｄと、背側域１４の両側縁１７ｃ，１７ｄとを連結できるため、愛玩動物５に対する吸収性物品１０の着用を容易にすることができる。
【００４３】
なお、第１実施形態および第２実施形態には、吸収性物品１０は、３つの別体のパネル部材（吸収性パネル１２と、腹側パネル１６と、背側パネル１７）とから構成されているが、本発明の吸収性物品１０は、腹側域１３と背側域１４とが別体ではなく一体の環状パネルから形成されていてもよいし、腹側域１３および背側域１４と中間域１５とが、一体に形成されたシャーシから構成されてもよい。
【００４４】
また、第１実施形態および第２実施形態には、腹側域１３において、内端域３３、外端域３４、および中央域３５のそれぞれに弾性部材４１を配置する吸収性物品１０を説明した。しかし、この発明はそれに限られず、弾性部材４１は、外端域３４および中央域３５には配置せずに内端域３３のみに配置してもよい。このように腹側域１３を形成すれば、使用する弾性部材４１の量を減らすことができるととともに、後肢７に腹側域１３の内端域３３が当たるのを防止しながら、愛玩動物５に対するフィット性を維持することができる。また、背側域１４には、弾性部材４１を配置しなくてもよい。
【００４５】
さらに、第１実施形態および第２実施形態には、腹側域１３にファスニングタブ７０を取り付ける吸収性物品１０を説明した。しかし、この発明はそれに限られず、背側域１４にファスニングタブを取り付けてもよい。
【００４６】
吸収性物品１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００４７】
５    愛玩動物
６    尻尾
１０    吸収性物品
１２    吸収性パネル
１３    腹側域
１４    背側域
１５    中間域
１６    腹側パネル
１６ａ  内端縁
１６ｂ  外端縁
１６ｃ  側縁
１６ｄ  側縁
１７    背側パネル
１７ａ  内端縁
１７ｂ  外端縁
１７ｃ  側縁
１７ｄ  側縁
２５    内層シート（内面シート）
２７    外層シート（外面シート）
３３    内端域
３４    外端域
３５    中央域
３６Ｂ  非伸縮域
３６    第１伸縮域（伸縮域）
３７    第２伸縮域
３８Ｂ  第２非伸縮域
３８    第３伸縮域
４１    第１弾性部材（弾性部材）
４１Ａ  内側弾性部材
４１Ｂ  外側弾性部材
４１Ｃ  中央弾性部材
６０    吸収性コア
７０    ファスニングタブ
７１    固定部
７２    自由部
７３    受け止め域（受止部）
７９    連結手段
Ｘ      横方向
Ｙ      縦方向
【図１】
0006522545.tif 000002
【図２】
0006522545.tif 000003
【図３】
0006522545.tif 000004
【図４】
0006522545.tif 000005
【図５】
0006522545.tif 000006
【図６】
0006522545.tif 000007